(57)【要約】 【課題】リアルタイムな状況に基づいた避難情報を出力可能なシステム、情報処理方法、情報処理装置およびプログラムを提供する。【解決手段】本発明に係る情報処理装置は、ネットワークを介して出力装置と接続され、第１送信部と第１受信部と生成部と第２送信部とを備える。第１送信部は、人を避難させるための避難情報を出力装置に送信する必要がある場合、避難情報を送信する必要があることを知らせる一斉情報を、出力装置に送信する。第１受信部は、一斉情報に対する応答として、出力装置の環境情報を出力装置から受信する。生成部は、第１受信部で受信した環境情報に基づいて、出力装置に出力させる避難情報を生成する。第２送信部は、生成部により生成された避難情報を出力装置に送信する。【選択図】図１
2015014889.tif 000002
【特許請求の範囲】
【請求項１】
ネットワークを介して相互に接続されるサーバ装置と出力装置とを備えるシステムであって、
前記サーバ装置は、
人を避難させるための避難情報を前記出力装置に送信する必要がある場合、前記避難情報を送信する必要があることを知らせる一斉情報を、前記出力装置に送信する第１送信部と、
前記一斉情報に対する応答として、前記出力装置の環境情報を受信する第１受信部と、
前記第１受信部で受信した前記環境情報に基づいて、前記出力装置に出力させる前記避難情報を生成する生成部と、
前記生成部により生成された前記避難情報を前記出力装置に送信する第２送信部と、を備え、
前記出力装置は、
前記一斉情報を受信する第２受信部と、
前記第２受信部で前記一斉情報を受信した場合、前記環境情報を収集する収集部と、
前記環境情報を前記サーバ装置へ送信する第３送信部と、
前記サーバ装置から前記避難情報を受信する第３受信部と、
前記第３受信部で受信した前記避難情報を出力する出力部と、を備える、
ことを特徴とするシステム。
【請求項２】
前記環境情報は、前記出力装置の設置場所を示す情報と、前記出力装置の周辺に存在する人の数を示す情報とを含み、
前記生成部は、
前記第１受信部で受信した前記環境情報と、前記出力装置の設置場所ごとに、１以上の避難経路と、誘導可能な人数を示す許容人数とを対応付けた対応情報とに基づいて、前記避難情報を生成する、
ことを特徴とする請求項１に記載のシステム。
【請求項３】
前記生成部は、
前記第１受信部で受信した前記環境情報が示す前記出力装置の周辺に存在する人の数が前記許容人数に収まるように前記避難経路を選択して前記避難情報を生成する、
ことを特徴とする請求項２に記載のシステム。
【請求項４】
前記環境情報は、前記出力装置の周辺の温度を示す情報を含み、
前記生成部は、前記第１受信部で受信した前記環境情報が示す前記出力装置の周辺の温度が第１閾値以上の場合は、避難までの緊急性が高いことを示す前記避難情報を生成する、
ことを特徴とする請求項２または請求項３に記載のシステム。
【請求項５】
前記環境情報は、前記出力装置の周辺の照度を示す情報を含み、
前記生成部は、前記第１受信部で受信した前記環境情報が示す前記出力装置の周辺の照度が第２閾値未満の場合は、避難までの緊急性が高いことを示す前記避難情報を生成する、
ことを特徴とする請求項２乃至４のうちの何れか１項に記載のシステム。
【請求項６】
前記サーバ装置は、前記ネットワークを介して複数の前記出力装置の各々と接続され、
前記生成部は、前記一斉情報を送信した複数の前記出力装置の各々から前記環境情報を受信した場合に、前記出力装置ごとに、当該出力装置の前記環境情報に基づいて、前記避難情報を生成する、
ことを特徴とする請求項１に記載のシステム。
【請求項７】
前記環境情報は、前記出力装置の設置場所を示す情報と、前記出力装置の周辺に存在する人の数を示す情報とを含み、
前記生成部は、前記第１受信部で受信した各前記出力装置の前記環境情報と、前記出力装置の設置場所ごとに、１以上の避難経路と、誘導可能な人数を示す許容人数とを対応付けた対応情報とに基づいて、前記出力装置ごとに、前記環境情報が示す前記出力装置の周辺に存在する人の数が前記許容人数に収まるように前記避難経路を選択して前記避難情報を生成する、
ことを特徴とする請求項６に記載のシステム。
【請求項８】
前記環境情報は、前記出力装置の周辺の温度を示す情報を含み、
前記生成部は、前記第１受信部で受信した各前記出力装置の前記環境情報の中に、周辺の温度が第３閾値以上であることを示す前記環境情報が含まれている場合、当該環境情報が示す前記出力装置の設置場所に近い前記避難経路は選択しない、
ことを特徴とする請求項７に記載のシステム。
【請求項９】
前記収集部は、一定間隔で前記環境情報の収集を行い、前記環境情報に変化が生じた場合は、最新の前記環境情報を前記サーバ装置へ送信する制御を行い、
前記生成部は、最新の前記環境情報に基づいて、前記避難情報を生成し直す、
ことを特徴とする請求項１乃至８のうちの何れか１項に記載のシステム。
【請求項１０】
前記出力装置は、
前記環境情報の入力を受け付ける受付部をさらに備え、
前記収集部は、前記環境情報の入力を促す入力画像を表示する制御を行い、前記受付部で受け付けた入力に応じて、前記環境情報を決定する、
ことを特徴とする請求項１乃至９のうちの何れか１項に記載のシステム。
【請求項１１】
前記サーバ装置は、
発生した災害に応じて、前記環境情報として必要な情報を指定する指定部と、
前記指定部により指定された情報を前記出力装置に対して要求する要求部と、をさらに備える、
ことを特徴とする請求項１乃至１０のうちの何れか１項に記載のシステム。
【請求項１２】
ネットワークを介して相互に接続されるサーバ装置と出力装置とを備えるシステムが実行する情報処理方法であって、
前記サーバ装置が、人を避難させるための避難情報を前記出力装置に送信する必要がある場合、前記避難情報を送信する必要があることを知らせる一斉情報を、前記出力装置に送信する第１送信ステップと、
前記出力装置が、前記一斉情報を受信する第２受信ステップと、
前記出力装置が、前記第２受信ステップで前記一斉情報を受信した場合、前記環境情報を収集する収集ステップと、
前記出力装置が、前記環境情報を前記サーバ装置へ送信する第３送信ステップと、
前記サーバ装置が、前記一斉情報に対する応答として、前記出力装置の環境情報を前記出力装置から受信する第１受信ステップと、
前記サーバ装置が、前記第１受信ステップで受信した前記環境情報に基づいて、前記出力装置に出力させる前記避難情報を生成する生成ステップと、
前記サーバ装置が、前記生成ステップで生成した前記避難情報を前記出力装置に送信する第２送信ステップと、
前記出力装置が、前記避難情報を受信する第３受信ステップと、
前記出力装置が、前記第３受信ステップで受信した前記避難情報を出力する出力ステップと、を含む、
ことを特徴とする情報処理方法。
【請求項１３】
前記環境情報は、前記出力装置の設置場所を示す情報と、前記出力装置の周辺に存在する人の数を示す情報とを含み、
前記生成ステップでは、前記第１受信ステップで受信した前記環境情報と、前記出力装置の設置場所ごとに、１以上の避難経路と、誘導可能な人数を示す許容人数とを対応付けた対応情報とに基づいて、前記避難情報を生成する、
ことを特徴とする請求項１２に記載の情報処理方法。
【請求項１４】
前記生成ステップでは、
前記第１受信ステップで受信した前記環境情報が示す前記出力装置の周辺に存在する人の数が前記許容人数に収まるように前記避難経路を選択して前記避難情報を生成する、
ことを特徴とする請求項１３に記載の情報処理方法。
【請求項１５】
前記環境情報は、前記出力装置の周辺の温度を示す情報を含み、
前記生成ステップでは、前記第１受信ステップで受信した前記環境情報が示す前記出力装置の周辺の温度が第１閾値以上の場合は、避難までの緊急性が高いことを示す前記避難情報を生成する、
ことを特徴とする請求項１３または請求項１４に記載の情報処理方法。
【請求項１６】
前記環境情報は、前記出力装置の周辺の照度を示す情報を含み、
前記生成ステップでは、前記第１受信ステップで受信した前記環境情報が示す前記出力装置の周辺の照度が第２閾値未満の場合は、避難までの緊急性が高いことを示す前記避難情報を生成する、
ことを特徴とする請求項１３乃至１５のうちの何れか１項に記載の情報処理方法。
【請求項１７】
前記サーバ装置には、複数の前記出力装置が接続され、
前記生成ステップでは、前記一斉情報を送信した複数の前記出力装置の各々から前記環境情報を受信した場合に、前記出力装置ごとに、当該出力装置の前記環境情報に基づいて、前記避難情報を生成する、
ことを特徴とする請求項１２に記載の情報処理方法。
【請求項１８】
前記環境情報は、前記出力装置の設置場所と、前記出力装置の周辺に存在する人の数とを含み、
前記生成ステップでは、前記第１受信ステップで受信した各前記出力装置の前記環境情報と、前記出力装置の設置場所ごとに、１以上の避難経路と、誘導可能な人数を示す許容人数とを対応付けた対応情報とに基づいて、前記出力装置ごとに、前記環境情報が示す前記出力装置の周辺に存在する人の数が前記許容人数に収まるように前記避難経路を選択して前記避難情報を生成する、
ことを特徴とする請求項１７に記載の情報処理方法。
【請求項１９】
ネットワークを介して出力装置と接続される情報処理装置であって、
人を避難させるための避難情報を前記出力装置に送信する必要がある場合、前記避難情報を送信する必要があることを知らせる一斉情報を、前記出力装置に送信する第１送信部と、
前記一斉情報に対する応答として、前記出力装置の環境情報を前記出力装置から受信する第１受信部と、
前記第１受信部で受信した前記環境情報に基づいて、前記出力装置に出力させる前記避難情報を生成する生成部と、
前記生成部により生成された前記避難情報を前記出力装置に送信する第２送信部と、を備える、
ことを特徴とする情報処理装置。
【請求項２０】
ネットワークを介して出力装置と接続される情報処理装置により実行可能なプログラムであって、
人を避難させるための避難情報を前記出力装置に送信する必要がある場合、前記避難情報を送信する必要があることを知らせる一斉情報を、前記出力装置に送信する第１送信ステップと、
前記一斉情報に対する応答として、前記出力装置の環境情報を前記出力装置から受信する第１受信ステップと、
前記第１受信ステップで受信した前記環境情報に基づいて、前記出力装置に出力させる前記避難情報を生成する生成ステップと、
前記生成ステップで生成した前記避難情報を前記出力装置に送信する第２送信ステップと、を前記情報処理装置に実行させるためのプログラム。
【発明の詳細な説明】
【技術分野】
【０００１】
本発明は、システム、情報処理方法、情報処理装置およびプログラムに関する。
【背景技術】
【０００２】
従来、地震の発生などの緊急時に、配信用のサーバからの避難情報を、ネットワークを介して配信用のサーバに接続された１以上のプロジェクタに対して一斉に配信することで、各プロジェクタの周辺に存在する人に避難情報を伝える技術が知られている。
【０００３】
例えば特許文献１には、災害発生時の避難情報（例えば避難経路を示す情報）をプロジェクタで表示する目的で、プロジェクタが、災害位置を示す災害位置情報を含む災害発生情報を受信した場合は、その災害位置情報に基づいて、予め設定された複数の避難経路の中から最優先避難経路を決定し、決定した最優先避難経路に対応する画像を投影する技術が開示されている。
【発明の概要】
【発明が解決しようとする課題】
【０００４】
しかしながら、特許文献１に開示された技術においては、緊急時に避難情報をプロジェクタで表示する際に、当該プロジェクタが設置された場所でのリアルタイムな状況に合わせて最適な避難情報を表示することはできないという問題がある。
【０００５】
本発明は、上記に鑑みてなされたものであって、リアルタイムな状況に基づいた避難情報を出力可能なシステム、情報処理方法、情報処理装置およびプログラムを提供することを目的とする。
【課題を解決するための手段】
【０００６】
上述した課題を解決し、目的を達成するために、本発明は、ネットワークを介して相互に接続されるサーバ装置と出力装置とを備えるシステムであって、前記サーバ装置は、人を避難させるための避難情報を前記出力装置に送信する必要がある場合、前記避難情報を送信する必要があることを知らせる一斉情報を、前記出力装置に送信する第１送信部と、前記一斉情報に対する応答として、前記出力装置の環境情報を受信する第１受信部と、前記第１受信部で受信した前記環境情報に基づいて、前記出力装置に出力させる前記避難情報を生成する生成部と、前記生成部により生成された前記避難情報を前記出力装置に送信する第２送信部と、を備え、前記出力装置は、前記一斉情報を受信する第２受信部と、前記第２受信部で前記一斉情報を受信した場合、前記環境情報を収集する収集部と、前記環境情報を前記サーバ装置へ送信する第３送信部と、前記サーバ装置から前記避難情報を受信する第３受信部と、前記第３受信部で受信した前記避難情報を出力する出力部と、を備えることを特徴とするシステムである。
【発明の効果】
【０００７】
本発明によれば、リアルタイムな状況に基づいた避難情報を出力することができるという有利な効果を奏する。
【図面の簡単な説明】
【０００８】
【図１】図１は、第１実施形態に係るシステムの構成例を示す図である。
【図２】図２は、環境情報の一例を示す図である。
【図３】図３は、プロジェクタの設置場所の登録方法を説明するための図である。
【図４】図４は、プロジェクタの周辺がカメラで撮影される様子を示す図である。
【図５】図５は、対応情報の一例を示す図である。
【図６】図６は、避難経路の選択方法を説明するための図である。
【図７】図７は、判断指標情報の一例を示す図である。
【図８】図８は、緊急度を判断する方法を説明するための図である。
【図９】図９は、生成部による処理の一例を示すフローチャートである。
【図１０】図１０は、投影面に投影された避難情報の一例を示す図である。
【図１１】図１１は、第１実施形態に係るシステムの動作手順の一例を示すシーケンス図である。
【図１２】図１２は、避難情報配信サーバのハードウェア構成例を示す図である。
【図１３】図１３は、プロジェクタのハードウェア構成例を示す図である。
【図１４】図１４は、複数のプロジェクタの各々に対応する避難経路の選択方法を説明するための図である。
【図１５】図１５は、避難情報配信サーバによる処理の一例を示すフローチャートである。
【図１６】図１６は、複数のプロジェクタの各々に対応する避難経路の選択方法を説明するための図である。
【図１７】図１７は、避難情報配信サーバによる処理の一例を示すフローチャートである。
【図１８】図１８は、第２実施形態に係るシステムの動作手順の一例を示すシーケンス図である。
【図１９】図１９は、第３実施形態に係る収集部による処理の一例を示すフローチャートである。
【図２０】図２０は、第３実施形態における避難経路の選択方法を説明するための図である。
【図２１】図２１は、第４実施形態に係るプロジェクタの機能構成の一例を示す図である。
【図２２】図２２は、第４実施形態に係るシステムの動作手順の一例を示すシーケンス図である。
【図２３】図２３は、第４実施形態に係るプロジェクタのハードウェア構成例を示す図である。
【図２４】図２４は、第５実施形態に係る避難情報配信サーバの機能構成の一例を示す図である。
【図２５】図２５は、第２対応情報の一例を示す図である。
【図２６】図２６は、変形例に係るシステムの動作手順の一例を示すシーケンス図である。
【図２７】図２７は、変形例に係るプロジェクタの機能構成の一例を示す図である。
【図２８】図２８は、変形例に係るＭＦＰのハードウェア構成例を示す図である。
【発明を実施するための形態】
【０００９】
以下、添付図面を参照しながら、本発明に係るシステム、情報処理方法、情報処理装置およびプログラムの実施形態を詳細に説明する。
【００１０】
（第１実施形態）
図１は、本実施形態に係るシステム１の構成例を示すブロック図である。図１に示すように、システム１は、避難情報配信サーバ１０と、プロジェクタ２０とを備える。避難情報配信サーバ１０とプロジェクタ２０は、ネットワーク３０を介して相互に接続される。この例では、１つのプロジェクタ２０のみを例示しているが、これに限らず、避難情報配信サーバ１０と接続されるプロジェクタ２０の数は任意である。この例では、避難情報配信サーバ１０は請求項の「情報処理装置」に対応し、プロジェクタ２０は請求項の「出力装置」に対応しているが、これに限られるものではない。
【００１１】
図１に示すように、避難情報配信サーバ１０は、通信部１１と、判断部１２と、生成部１３とを有する。通信部１１は、プロジェクタ２０と通信する機能を有する。また、この例では、通信部１１は、後述の災害情報を発信する外部装置（不図示）と通信する機能も有する。
【００１２】
判断部１２は、災害が発生した際に人を避難させるための避難情報をプロジェクタ２０に送信（配信）する必要があるか否かを判断する。本実施形態では、災害が発生した場合、不図示の外部装置は、災害が発生したことを知らせる災害情報を避難情報配信サーバ１０へ送信する。この災害情報を通信部１１で受信した場合、判断部１２は、避難情報をプロジェクタ２０に送信する必要があると判断する。なお、これに限らず、例えば避難情報配信サーバ１０が、災害の発生を検知する機能（例えば地震の発生を検知する機能や火災の発生を検知する機能）を有しており、災害の発生を検知すると、その旨を判断部１２に通知する形態であってもよい。この通知を受けた判断部１２は、避難情報をプロジェクタ２０に送信する必要があると判断することができる。見方を変えれば、判断部１２は、災害の発生を検出（外部装置からの災害情報を受信することで検出してもよいし、避難情報配信サーバ１０が有する機能により検出してもよい）した場合に、避難情報をプロジェクタ２０に送信する必要があると判断する。
【００１３】
判断部１２は、避難情報をプロジェクタ２０に配信する必要があると判断した場合、避難情報を送信する必要があることを知らせる一斉情報をプロジェクタ２０へ送信することを通信部１１へ依頼する。そして、この依頼を受けた通信部１１は、一斉情報をプロジェクタ２０へ送信（配信）する。つまり、通信部１１は、避難情報をプロジェクタ２０に送信する必要がある場合、避難情報を送信する必要があることを知らせる一斉情報を、プロジェクタ２０に送信する機能を有している。この例では、通信部１１は、請求項の「第１送信部」の機能を有している。
【００１４】
通信部１１は、一斉情報に対する応答として、プロジェクタ２０の環境情報を受信する。この例では、通信部１１は、請求項の「第１受信部」の機能も有していると捉えることができる。
【００１５】
ここで、環境情報に関するプロジェクタ２０の機能を説明する。図１に示すように、プロジェクタ２０は、通信部２１と、収集部２２と、投影部２３とを有する。通信部２１は、避難情報配信サーバ１０と通信する。通信部２１は、前述の一斉情報を受信する機能を有する。この例では、通信部２１は、請求項の「第２受信部」の機能を有していると捉えることができる。
【００１６】
一斉情報を通信部２１で受信した場合、収集部２２は、プロジェクタ２０の環境情報を収集する。この例では、環境情報は、プロジェクタ２０の設置場所を示す情報、現在のプロジェクタ２０の周辺に存在する人の数を示す情報、現在のプロジェクタ２０の周辺の温度を示す情報、現在のプロジェクタ２０の周辺の照度（明るさ）を示す情報などを含む。図２は、環境情報の一例を示す図である。
【００１７】
ここで、プロジェクタ２０の設置場所を登録する方法について説明する。図３に示すように、プロジェクタ２０の設置時に、プロジェクタ２０から避難情報配信サーバ１０に対して、プロジェクタ２０が設置されたことを示す設置通知を送信する。避難情報配信サーバ１０は、管理対象の建物の設置場所リストを保持しており、設置場所リストをプロジェクタ２０に送信する。設置場所リストを受け取ったプロジェクタ２０は、設置場所リストを投影し、ユーザに対して、プロジェクタ２０の設置場所の登録（選択）を促すという具合である。プロジェクタ２０の設置場所の登録が行われた設置場所リストは、プロジェクタ２０内の不図示のメモリに格納される。収集部２２は、この不図示のメモリにアクセスして、プロジェクタ２０の設置場所を示す情報を収集（取得）する。
【００１８】
また、本実施形態では、図４に示すように、天吊りのプロジェクタ２０にカメラ２１０が接続され、プロジェクタ２０の設置場所の周辺を撮影している。収集部２２は、カメラ２１０で撮影された映像から、プロジェクタ２０の周辺に存在する人の数を集計することで、現在のプロジェクタ２０の周辺に存在する人の数を示す情報を収集（取得）する。
【００１９】
さらに、本実施形態では、プロジェクタ２０には、温度センサ２１３（後述の図１３参照）が接続されている。収集部２２は、この温度センサ２１３で計測された温度を、現在のプロジェクタ２０の周辺の温度を示す情報として収集（取得）する。
【００２０】
収集部２２は、以上のような環境情報の収集が完了すると、一斉情報に対する応答として、収集した環境情報を避難情報配信サーバ１０へ送信することを通信部２１に依頼する。この依頼を受けた通信部２１は、収集部２２により収集された環境情報を避難情報配信サーバ１０へ送信する。この例では、通信部２１は、請求項の「第３送信部」の機能を有していると捉えることもできる。
【００２１】
図１に戻り、再び避難情報配信サーバ１０の説明を続ける。プロジェクタ２０からの環境情報を通信部１１で受信した場合、生成部１３は、その受信した環境情報に基づいて、プロジェクタ２０に出力させる避難情報を生成する。なお、この例では、通信部１１は、請求項の「第２受信部」の機能を有していると捉えることができる。
【００２２】
以下、避難情報の具体的な生成方法を説明する。本実施形態では、生成部１３は、通信部１１で受信した環境情報と、プロジェクタの設置場所ごとに、１以上の避難経路と、誘導可能な人数を示す許容人数とを対応付けた対応情報とに基づいて、プロジェクタ２０に出力させる避難情報を生成する。より具体的には、生成部１３は、通信部１１で受信した環境情報が示す現在のプロジェクタ２０の周辺に存在する人の数が許容人数に収まるように避難経路を選択して避難情報を生成する。図５は、対応情報の一例を示す図である。対応情報は、不図示のメモリに格納される形態であってもよいし、外部装置に格納される形態であってもよい。
【００２３】
いま、例えば図６に示す環境情報が通信部１１で受信された場合を想定する。図６に示すように、環境情報が示すプロジェクタ２０の設置場所（環境情報に含まれる情報（プロジェクタ２０の設置場所を示す情報）により特定されるプロジェクタ２０の設置場所）は「１Ｆ  ロビー前」であり、環境情報が示す現在のプロジェクタ２０の周辺の人の数は「３０人」であるので、生成部１３は、対応情報に含まれる避難経路の中から、「１Ｆ  ロビー前」を示すプロジェクタの設置場所に対応し、かつ、対応する許容人数が「３０人」に収まるように避難経路を選択する。この例では、西側出口および南側出口の双方を選択する必要がある。そして、生成部１３は、避難経路を示す情報として、西側出口および南側出口の双方から避難（屋外へ避難）することを示す情報を生成する。
【００２４】
図１に戻って説明を続ける。本実施形態では、生成部１３は、通信部１１で受信した環境情報が示す現在のプロジェクタ２０の周辺の温度が第１閾値以上の場合は、避難までの緊急性が高いことを示す避難情報を生成する。さらに、生成部１３は、通信部１１で受信した環境情報が示す現在のプロジェクタ２０の周辺の照度が第２閾値未満の場合は、避難までの緊急性が高いことを示す避難情報を生成する。図７は、避難までの緊急性を判断するのに用いられる判断指標情報の一例を示す図である。この例では、避難までの緊急性が高いかどうかを判断するための温度の閾値（第１閾値）は４０℃を示し、避難までの緊急性が高いかどうかを判断するための照度（明るさ）の閾値（第２閾値）は１０ルクス（以下、「１０ｌｘ」のように表記する）を示しているが、これに限られるものではない。判断指標情報は、不図示のメモリに格納される形態であってもよいし、外部装置に格納される形態であってもよい。
【００２５】
いま、例えば図８に示す環境情報が通信部１１で受信された場合を想定する。図８に示すように、環境情報が示す現在のプロジェクタ２０の周辺の温度は「２４℃」であり、第１閾値である４０℃を下回る。また、図８に示すように、環境情報が示す現在のプロジェクタ２０の周辺の照度（明るさ）は「２００ｌｘ」であり、第２閾値である１０ｌｘを上回るので、避難までの緊急性は低いと判断される。そして、生成部１３は、避難までの緊急度を示す情報として、避難までの緊急性は低いことを示す情報を生成する。
【００２６】
生成部１３は、以上のように生成した避難経路を示す情報と、避難までの緊急度を示す情報とから、避難情報を決定する。例えば避難までの緊急度が低い場合は、避難経路を示す情報と、「１０分後に避難を開始して下さい」などの避難を開始するまで猶予があることを示す情報（メッセージ）とを合わせて避難情報とすることもできる。また、例えば避難までの緊急度が低い場合は、避難を開始することを促す情報を避難情報に含めない形態であってもよい。さらに、例えば避難までの緊急度が高い場合は、避難経路を示す情報と、例えば「直ちに避難を開始して下さい」などの直ちに避難を開始することを促す情報とを合わせて避難情報とすることもできる。
【００２７】
図９は、生成部１３による処理の一例を示すフローチャートである。上述したように、生成部１３は、前述の判断指標情報と、プロジェクタ２０から受信した環境情報が示す現在のプロジェクタ２０の周辺の温度または明るさとから、避難までの緊急度を判断する（ステップＳ１）。また、生成部１３は、前述の対応情報と、プロジェクタ２０から受信した環境情報が示すプロジェクタ２０の設置場所および現在のプロジェクタ２０の周辺の人数とから、避難経路を選択する（ステップＳ２）。なお、ステップＳ１とステップＳ２の順序は反対でもよいし、同時でもよい。次に、生成部１３は、ステップＳ１で決定した避難までの緊急度と、ステップＳ２で決定した避難経路とから、避難情報を決定する（ステップＳ３）。
【００２８】
図１に戻って説明を続ける。生成部１３は、以上のようにして生成した避難情報をプロジェクタ２０へ送信することを通信部１１に依頼する。この依頼を受けた通信部１１は、避難情報をプロジェクタ２０へ送信する。この例では、通信部１１は、請求項の「第２送信部」の機能を有していると捉えることもできる。
【００２９】
そして、プロジェクタ２０側の通信部２１は、避難情報配信サーバ１０からの避難情報を受信する。この例では、通信部２１は、請求項の「第３受信部」の機能を有していると捉えることもできる。投影部２３は、通信部２１で受信した避難情報をスクリーンなどの投影面に投影する。図１０は、投影面に投影された避難情報の一例を示す図である。この例では、投影部２３は、請求項の「出力部」に対応していると捉えることができる。
【００３０】
図１１は、本実施形態のシステム１の動作手順の一例を示すシーケンス図である。図１１に示すように、地震や火災などの災害が発生した場合、通信部１１は、不図示の外部装置から災害情報を受信する（ステップＳ１０）。通信部１１は、受信した災害情報を判断部１２に通知する（ステップＳ１１）。この通知を受けた判断部１２は、一斉情報の送信（配信）が必要であると判断し、プロジェクタ２０に対する一斉情報の送信を依頼する（ステップＳ１２）。この依頼を受けた通信部１１は、プロジェクタ２０に対して一斉情報を送信する（ステップＳ１３）。
【００３１】
プロジェクタ２０側の通信部２１は、避難情報配信サーバ１０からの一斉情報を受信した場合、一斉情報を受信した旨を収集部２２へ通知する（ステップＳ１４）。この通知を受けた収集部２２は、プロジェクタ２０の環境情報を収集する（ステップＳ１５）。環境情報の収集が完了すると、収集部２２は、避難情報配信サーバ１０に対する環境情報の送信を通信部２１へ依頼する（ステップＳ１６）。この依頼を受けた通信部２１は、環境情報を避難情報配信サーバ１０へ送信する（ステップＳ１７）。
【００３２】
避難情報配信サーバ１０側の通信部１１は、プロジェクタ２０からの環境情報を受信した場合、受信した環境情報を生成部１３へ通知する（ステップＳ１８）。この通知を受けた生成部１３は、環境情報に基づいて、プロジェクタ２０に出力させる避難情報を生成する（ステップＳ１９）。避難情報の生成方法は上述したとおりである。そして、生成部１３は、生成した避難情報をプロジェクタ２０へ送信することを通信部１１に依頼する（ステップＳ２０）。この依頼を受けた通信部１１は、避難情報をプロジェクタ２０へ送信する（ステップＳ２１）。
【００３３】
プロジェクタ２０側の通信部２１は、避難情報配信サーバ１０からの避難情報を受信した場合、受信した避難情報を投影部２３へ通知する（ステップＳ２２）。この通知を受けた投影部２３は、避難情報配信サーバ１０から送信された避難情報を投影する（ステップＳ２３）。
【００３４】
次に、避難情報配信サーバ１０のハードウェア構成を説明する。図１２は、避難情報配信サーバ１０のハードウェア構成例を示す図である。図１２に示すように、避難情報配信サーバ１０は、ＣＰＵ１０１と、ＲＯＭ１０２と、ＲＡＭ１０３と、入力部１０４と、表示部１０５と、通信Ｉ／Ｆ１０６とを備え、これらがシステムバス１０７を介して相互に接続されている。
【００３５】
ＣＰＵ１０１は、避難情報配信サーバ１０の動作を統括的に制御する。ＣＰＵ１０１は、ＲＡＭ１０３をワークエリア（作業領域）としてＲＯＭ１０２や不図示の外部記憶装置（例えばハードディスクドライブ等）に格納されたプログラムを実行することで、避難情報配信サーバ１０全体の動作を制御する。
【００３６】
入力部１０４は、各種の入力に用いられるデバイスであり、例えばキーボードやマウスなどで構成され得る。表示部１０５は、避難情報配信サーバ１０やシステム１に関する様々な情報を表示するデバイスであり、例えば液晶ディスプレイ装置などで構成され得る。また、例えば入力部１０４が設けられずに、タッチパネル機能が搭載されたディスプレイ装置で、入力部１０４と表示部１０５の機能を兼用する形態であってもよい。
【００３７】
通信Ｉ／Ｆ１０６は、インターネットなどのネットワーク３０を介してプロジェクタ２０や外部装置と通信するためのインターフェースである。
【００３８】
上述の避難情報配信サーバ１０の各部の機能（通信部１１、判断部１２、生成部１３）は、ＣＰＵ１０１がＲＯＭ１０２等に格納されたプログラムを実行することにより実現されるが、これに限らず、例えば上述の避難情報配信サーバ１０の各部の機能（通信部１１、判断部１２、生成部１３）の少なくとも一部が専用のハードウェア回路（例えば半導体集積回路等）で実現される形態であってもよい。
【００３９】
次に、プロジェクタ２０のハードウェア構成を説明する。図１３は、プロジェクタ２０のハードウェア構成例を示す図である。図１３に示すように、プロジェクタ２０は、プロジェクタ２０全体の動作を統括的に制御するＣＰＵ２０１を有している。また、図１３の例では、プロジェクタ２０はＡＳＩＣ２０２を有している。ＡＳＩＣ２０２は、画像処理用のハードウェア要素を有する画像処理用途向けのＩＣであり、ＣＰＵ２０１、Ｅｈｔｅｒｎｅｔ（登録商標）２０３、Ｗｉ−Ｆｉ２０４、作像エンジン２０５、ＨＤＭＩ（登録商標）２０８、ＶＩＤＥＯ−ＩＮ２０９、ＤＳＰ２１２、および、フラッシュメモリ２１４をそれぞれ接続するブリッジの役割を有する。
【００４０】
図１３の例では、プロジェクタ２０は、避難情報配信サーバ１０と通信するためのネットワークインターフェースであるＥｔｈｅｒｎｅｔ（登録商標）２０３と、Ｗｉ−Ｆｉ２０４とを有している。また、プロジェクタ２０は、前述の避難情報を投影するための、作像エンジン２０５、光源２０６、および、レンズ２０７を有している。
【００４１】
また、図１３の例では、プロジェクタ２０は、外部からの映像が入力されるＨＤＭＩ（登録商標）２０８、および、ＶIＤＥＯ−ＩＮ２０９を有している。さらに、プロジェクタ２０の周辺に存在する人の数を収集するのに用いられるカメラ２１０が、ＵＳＢ２１１を介してＣＰＵ２０１に接続される。カメラ２１０により撮影された画像を用いて、ＣＰＵ２０１およびＤＳＰ２１２による画像切り出しと人物検出が行われ、これにより、プロジェクタ２０の周辺に存在する人の数が収集される。また、図１３の例では、プロジェクタ２０の周辺の温度を計測する温度センサ２１３が、ＣＰＵ２０１に接続される。
【００４２】
また、図１３の例では、プロジェクタ２０は、各種のデータやプログラムを格納するフラッシュメモリ２１４を有している。この例では、上述のプロジェクタ２０の各部の機能（通信部２１、収集部２２、投影部２３）は、ＣＰＵ２０１がフラッシュメモリ２１４等に格納されたプログラムを実行することにより実現されるが、これに限らず、例えば上述のプロジェクタ２０の各部の機能（通信部２１、収集部２２、投影部２３）のうちの少なくとも一部が専用のハードウェア回路で実現される形態であってもよい。
【００４３】
以上に説明したように、本実施形態では、例えば地震や火災などの災害が発生した場合、そのときのプロジェクタ２０の環境情報に応じた最適な避難情報を生成してプロジェクタ２０に配信するので、当該プロジェクタ２０の周辺に存在する人に対して、当該プロジェクタ２０が設置された場所でのリアルタイムな状況に合わせた最適な避難情報を呈示することができるという有利な効果を奏する。
【００４４】
（第２実施形態）
次に、第２実施形態について説明する。第２実施形態では、避難情報配信サーバ１０は、ネットワーク３０を介して２以上のプロジェクタと接続されている。ここでは、説明の便宜上、避難情報配信サーバ１０は、ネットワーク３０を介して２つのプロジェクタ（２０Ａ，２０Ｂ）と接続されている場合を例に挙げて説明する。なお、２つのプロジェクタを区別する必要が無い場合は、単にプロジェクタ２０と表記する。以下の説明では、上述の第１実施形態と共通する部分については、適宜に説明を省略する。
【００４５】
本実施形態では、避難情報配信サーバ１０は、不図示の外部装置からの災害情報を受信した場合（プロジェクタ２０Ａおよび２０Ｂに対して避難情報を配信する必要があると判断した場合）、プロジェクタ２０Ａおよび２０Ｂの各々に対して、一斉情報を配信する。そして、生成部１３は、一斉情報の応答として、プロジェクタ２０Ａおよび２０Ｂの各々から環境情報を受信した場合に、プロジェクタ２０ごとに、当該プロジェクタ２０の環境情報に基づいて、当該プロジェクタ２０に出力させる避難情報を生成する。より具体的には、生成部１３は、通信部１１で受信したプロジェクタ２０Ａおよび２０Ｂの各々の環境情報と、前述の対応情報とに基づいて、プロジェクタ２０ごとに、当該プロジェクタ２０の環境情報が示すプロジェクタ２０の周辺に存在する人の数が許容人数に収まるように避難経路を選択して避難情報を生成する。
【００４６】
いま、例えば図１４に示すプロジェクタ２０Ａの環境情報、および、プロジェクタ２０Ｂの環境情報が通信部１１で受信された場合を想定する。図１４に示すように、プロジェクタ２０Ａの環境情報が示すプロジェクタ２０Ａの設置場所は「１Ｆ  Ａ区画」であり、プロジェクタ２０Ａの環境情報が示す現在のプロジェクタ２０Ａの周辺の人の数は「２０人」であるので、プロジェクタ２０Ａに対応する避難経路として、西側出口および北側出口の双方が選択可能となる。
【００４７】
一方、プロジェクタ２０Ｂの環境情報が示すプロジェクタ２０Ｂの設置場所は「２Ｆ  Ｃ区画」であり、プロジェクタ２０Ｂの環境情報が示す現在のプロジェクタ２０Ｂの周辺の人の数は「２０人」であるので、プロジェクタ２０Ｂに対応する避難経路として、北側階段を通って北側出口へ向かう避難経路のみが選択可能である。ここで、生成部１３は、プロジェクタ２０Ａに対応する避難経路とプロジェクタ２０Ｂの避難経路とが重複しないよう、プロジェクタ２０Ａに対応する避難経路として西側出口を選択し、プロジェクタ２０Ｂに対応する避難経路として北側出口を選択する。そして、生成部１３は、プロジェクタ２０Ａに対応する避難経路を示す情報として、西側出口から避難することを示す情報を生成するとともに、プロジェクタ２０Ｂに対応する避難経路を示す情報として、北側出口から避難することを示す情報を生成する。
【００４８】
図１５は、各プロジェクタ２０の環境情報を受信してから各プロジェクタ２０に対して避難情報を配信するまでの避難情報配信サーバ１０による処理の一例を示すフローチャートである。図１５に示すように、まず通信部１１は、一斉情報の応答として、プロジェクタ２０Ａおよび２０Ｂの各々から環境情報を受信する（ステップＳ３１）。次に、生成部１３は、各プロジェクタ２０の環境情報と、前述の対応情報とから、プロジェクタ２０Ａおよび２０Ｂの中に、環境情報が示すプロジェクタ２０の設置場所に対応する避難経路が１つのみのプロジェクタがあるか否かを判断する（ステップＳ３２）。図１４の例においては、対応情報において、プロジェクタ２０Ｂの環境情報が示すプロジェクタ２０の設置場所「２Ｆ  Ｃ区画」に対応付けられた避難経路は「北側階段を通って北側出口へ向かう」ことを示す避難経路のみであるので、ステップＳ３２の判断結果は肯定を示すことになる。
【００４９】
上述のステップＳ３２において、環境情報が示すプロジェクタ２０の設置場所に対応する避難経路が１つのみのプロジェクタがあると判断した場合（ステップＳ３２：ＹＥＳ）、生成部１３は、そのプロジェクタ２０の環境情報が示す設置場所に対応する避難経路を選択する（ステップＳ３３）。一方、上述のステップＳ３２において、環境情報が示すプロジェクタ２０の設置場所に対応する避難経路が１つのみのプロジェクタが存在しないと判断した場合（ステップＳ３２：ＮＯ）、生成部１３は、避難経路を選択する対象となる対象プロジェクタ２０（プロジェクタ２０Ａおよび２０Ｂのうちの何れか）の環境情報が示す当該プロジェクタ２０の周辺に存在する人の数（周辺人数）が許容人数に収まるように避難経路を選択する（ステップＳ３４）。
【００５０】
次に、生成部１３は、選択した避難経路に対応する許容人数から、対象プロジェクタ２０の環境情報が示す周辺人数を減算する（ステップＳ３５）。そして、対象プロジェクタ２０は、避難経路を選択済みであるとし（ステップＳ３６）、全てのプロジェクタ２０の避難経路を選択済みであるか否かを判断する（ステップＳ３７）。
【００５１】
上述のステップＳ３７において、未だ避難経路を選択していないプロジェクタ２０が存在すると判断した場合（ステップＳ３７：ＮＯ）、上述のステップＳ３２以降の処理を繰り返す。一方、全てのプロジェクタ２０の避難経路を選択済みであると判断した場合（ステップＳ３７：ＹＥＳ）、生成部１３は、プロジェクタ２０ごとに避難情報を生成する（ステップＳ３８）。このとき、上述の第１実施形態と同様に、生成部１３は、前述の判断指標情報と、各プロジェクタ２０の環境情報が示すプロジェクタ２０の周辺の温度または明るさとから、プロジェクタ２０ごとに、緊急度を示す情報を生成してもよい。そして、生成部１３は、プロジェクタ２０ごとに、避難経路を示す情報と緊急度を示す情報とから避難情報を生成してもよい。次に、生成部１３は、プロジェクタ２０ごとに、当該プロジェクタに対応する避難情報を配信することを通信部１１に依頼し、この依頼を受けた通信部１１は、プロジェクタ２０ごとに、当該プロジェクタ２０に対応する避難情報を送信する（ステップＳ３９）。以上が、各プロジェクタ２０の環境情報を受信してから各プロジェクタ２０に対して避難情報を配信するまでの避難情報配信サーバ１０による処理の内容である。
【００５２】
ここで、例えば生成部１３は、通信部１１で受信した各プロジェクタ２０の環境情報の中に、プロジェクタ２０の周辺の温度が第３閾値以上であることを示す環境情報が含まれている場合、当該環境情報が示すプロジェクタ２０の設置場所に近い避難経路は選択しない形態であってもよい。
【００５３】
いま、例えば図１６に示すプロジェクタ２０Ａの環境情報、および、プロジェクタ２０Ｂの環境情報が通信部１１で受信された場合を想定する。この例では、避難経路として選択可能か否かを判断するのに用いられる第３閾値は「４０℃」に設定されているが、これに限られるものではない。図１６に示すように、プロジェクタ２０Ｂの環境情報が示すプロジェクタ２０Ｂの周辺の温度は「５０℃」であり、第３閾値である４０℃を上回るので、生成部１３は、プロジェクタ２０Ｂの環境情報が示すプロジェクタ２０Ｂの設置場所「１Ｆ  西側出口前」に近い避難経路である「西側出口」は選択しないようにする。
【００５４】
そうすると、図１６の例では、プロジェクタ２０Ａの環境情報が示すプロジェクタ２０Ａの設置場所は「１Ｆ  Ａ区画」であり、プロジェクタ２０Ａの環境情報が示す現在のプロジェクタ２０Ａの周辺の人の数は「２０人」であるので、対応情報に含まれる避難経路のうち、「１Ｆ  Ａ区画」を示すプロジェクタの設置場所に対応し、かつ、対応する許容人数が「２０人」に収まる避難経路としては、西側出口と北側出口が候補となるが、上述したように西側出口は選択不可能であるため、生成部１３は、プロジェクタ２０Ａに対応する避難経路として、北側出口を選択する。
【００５５】
また、図１６の例では、プロジェクタ２０Ｂの環境情報が示すプロジェクタ２０Ｂの設置場所は「１Ｆ  西側出口前」であり、プロジェクタ２０Ｂの環境情報が示す現在のプロジェクタ２０Ｂの周辺の人の数は「１０人」であるので、対応情報に含まれる避難経路のうち、「１Ｆ  西側出口前」を示すプロジェクタの設置場所に対応し、かつ、対応する許容人数が「１０人」に収まる避難経路としては、西側出口と南側出口が候補となるが、上述したように西側出口は選択不可能であるため、生成部１３は、プロジェクタ２０Ｂに対応する避難経路として、南側出口を選択する。以上より、生成部１３は、プロジェクタ２０Ａに対応する避難経路を示す情報として、北側出口から避難することを示す情報を生成するとともに、プロジェクタ２０Ｂに対応する避難経路を示す情報として、南側出口から避難することを示す情報を生成する。
【００５６】
図１７は、以上の形態において、各プロジェクタ２０の環境情報を受信してから各プロジェクタ２０に対して避難情報を配信するまでの避難情報配信サーバ１０による処理の一例を示すフローチャートである。図１７に示すように、まず通信部１１は、一斉情報の応答として、プロジェクタ２０Ａおよび２０Ｂの各々から環境情報を受信する（ステップＳ４１）。次に、生成部１３は、各プロジェクタ２０の環境情報の中に、プロジェクタ２０の周辺の温度が第３閾値（例えば４０℃）以上であることを示す環境情報が含まれているか否かを判断する（ステップＳ４２）。
【００５７】
上述のステップＳ４２において、各プロジェクタ２０の環境情報の中に、プロジェクタ２０の周辺の温度が第３閾値以上であることを示す環境情報が含まれていると判断した場合（ステップＳ４２：ＹＥＳ）、生成部１３は、当該環境情報が示すプロジェクタ２０の設置場所に近い避難経路を選択不可とし（ステップＳ４３）、処理は、ステップＳ４４に移行する。一方、各プロジェクタ２０の環境情報の中に、プロジェクタ２０の周辺の温度が第３閾値以上であることを示す環境情報が含まれていないと判断した場合（ステップＳ４２：ＮＯ）、処理は、そのままステップＳ４４に移行する。
【００５８】
ステップＳ４４において、生成部１３は、環境情報が示すプロジェクタ２０の設置場所に対応する避難経路が１つのみのプロジェクタ２０があるかどうかを判断する（ステップＳ４４）。環境情報が示すプロジェクタ２０の設置場所に対応する避難経路が１つのみのプロジェクタがあると判断した場合（ステップＳ４４：ＹＥＳ）、生成部１３は、そのプロジェクタ２０の環境情報が示す設置場所に対応する避難経路を選択する（ステップＳ４５）。この場合、例えばそのプロジェクタ２０の環境情報が示す設置場所に対応する避難経路の許容人数が、当該環境情報が示す周辺人数よりも少ない場合であっても、生成部１３は、その避難経路を強制的に選択する。
【００５９】
一方、上述のステップＳ４４において、環境情報が示すプロジェクタ２０の設置場所に対応する避難経路が１つのみのプロジェクタが存在しないと判断した場合（ステップＳ４４：ＮＯ）、生成部１３は、避難経路を選択する対象となる対象プロジェクタ２０（プロジェクタ２０Ａおよび２０Ｂのうちの何れか）の環境情報が示す設置場所に対応する選択可能な避難経路のうち、その環境情報が示す周辺人数が許容人数に収まる避難経路があるか否かを判断する（ステップＳ４６）。許容人数に収まる避難経路があると判断した場合（ステップＳ４６：ＹＥＳ）、生成部１３は、その避難経路を選択する（ステップＳ４７）。一方、許容人数に収まる避難経路がないと判断した場合（ステップＳ４６：ＮＯ）、生成部１３は、選択可能な避難経路のうちの何れかを強制的に選択する（ステップＳ４８）。
【００６０】
次に、生成部１３は、選択した避難情報に対応する許容人数から、対象プロジェクタ２０の環境情報が示す周辺人数を減算する（ステップＳ４９）。そして、対象プロジェクタ２０は、避難経路を選択済みであるとし（ステップＳ５０）、全てのプロジェクタ２０の避難経路を選択済みであるか否かを判断する（ステップＳ５１）。
【００６１】
上述のステップＳ５１において、未だ避難経路を選択していないプロジェクタ２０が存在すると判断した場合（ステップＳ５１：ＮＯ）、上述のステップＳ４４以降の処理を繰り返す。一方、全てのプロジェクタ２０の避難経路を選択済みであると判断した場合（ステップＳ５１：ＹＥＳ）、生成部１３は、プロジェクタ２０ごとに避難情報を生成する（ステップＳ５２）。このとき、上述の第１実施形態と同様に、生成部１３は、前述の判断指標情報と、各プロジェクタ２０の環境情報が示すプロジェクタ２０の周辺の温度または明るさとから、プロジェクタ２０ごとに、緊急度を示す情報を生成してもよい。そして、生成部１３は、プロジェクタ２０ごとに、避難経路を示す情報と緊急度を示す情報とから避難情報を生成してもよい。
【００６２】
次に、生成部１３は、プロジェクタ２０ごとに、当該プロジェクタに対応する避難情報を配信することを通信部１１に依頼し、この依頼を受けた通信部１１は、プロジェクタ２０ごとに、当該プロジェクタ２０に対応する避難情報を送信する（ステップＳ５３）。
【００６３】
図１８は、本実施形態のシステムの動作手順の一例を示すシーケンス図である。図１８に示すように、地震や火災などの災害が発生した場合、通信部１１は、不図示の外部装置から災害情報を受信する（ステップＳ１０１）。通信部１１は、受信した災害情報を判断部１２に通知する（ステップＳ１０２）。この通知を受けた判断部１２は、一斉情報の配信が必要であると判断し、プロジェクタ２０Ａおよび２０Ｂに対する一斉情報の送信を依頼する（ステップＳ１０３）。この依頼を受けた通信部１１は、プロジェクタ２０Ａおよびプロジェクタ２０Ｂの各々に対して一斉情報を送信する（ステップＳ１０４）。
【００６４】
プロジェクタ２０Ａは、避難情報配信サーバ１０からの一斉情報を受信した場合、プロジェクタ２０Ａの環境情報を収集する（ステップＳ１０５）。また、プロジェクタ２０Ｂは、避難情報配信サーバ１０からの一斉情報を受信した場合、プロジェクタ２０Ｂの環境情報を収集する（ステップＳ１０６）。プロジェクタ２０Ａは、環境情報の収集が完了すると、収集した環境情報を避難情報配信サーバ１０に送信する（ステップＳ１０７）。同様に、プロジェクタ２０Ｂは、環境情報の収集が完了すると、収集した環境情報を避難情報配信サーバ１０に送信する（ステップＳ１０８）。
【００６５】
避難情報配信サーバ１０側の通信部１１は、プロジェクタ２０Ａおよび２０Ｂの各々からの環境情報を受信した場合、受信したプロジェクタ２０Ａおよび２０Ｂの各々の環境情報を生成部１３へ通知する（ステップＳ１０９）。この通知を受けた生成部１３は、各プロジェクタ２０の環境情報に基づいて、プロジェクタ２０ごとに、当該プロジェクタ２０に出力させる避難情報を生成する（ステップＳ１１０）。避難情報の生成方法は上述したとおりである。そして、生成部１３は、プロジェクタ２０ごとに、生成した避難情報を配信（送信）することを通信部１１に依頼する（ステップＳ１１１）。この依頼を受けた通信部１１は、プロジェクタ２０Ａに対して、プロジェクタ２０Ａ用の避難情報を送信し（ステップＳ１１２）、プロジェクタ２０Ｂに対して、プロジェクタ２０Ｂ用の避難情報を送信する（ステップＳ１１３）。
【００６６】
プロジェクタ２０Ａは、避難情報配信サーバ１０からプロジェクタ２０Ａ用の避難情報を受信した場合、受信した避難情報を投影する（ステップＳ１１４）。また、プロジェクタ２０Ｂは、避難情報配信サーバ１０からプロジェクタ２０Ｂ用の避難情報を受信した場合、受信した避難情報を投影する（ステップＳ１１５）。
【００６７】
（第３実施形態）
次に、第３実施形態について説明する。第３実施形態では、プロジェクタ２０側の収集部２２は、一定間隔で環境情報の収集を行い、環境情報に変化が生じた場合は、最新の環境情報をサーバ装置へ送信する制御を行う。そして、避難情報配信サーバ１０側の生成部１３は、最新の環境情報に基づいて、避難情報を生成し直す点で上述の各実施形態と相違する。以下、具体的に説明する。なお、上述の各実施形態と共通する部分については、適宜に説明を省略する。
【００６８】
図１９は、第３実施形態に係る収集部２２による処理の一例を示すフローチャートである。図１９に示すように、避難情報配信サーバ１０からの一斉情報を通信部２１で受信した場合（ステップＳ６１）、収集部２２は、プロジェクタ２０の環境情報を収集する（ステップＳ６２）。環境情報の収集が完了すると、収集部２２は、収集した環境情報を避難情報配信サーバ１０へ送信することを通信部２１に依頼する。この依頼を受けた通信部２１は、環境情報を避難情報配信サーバ１０へ送信する（ステップＳ６３）。
【００６９】
上述のステップＳ６３から一定時間経過後、収集部２２は、再びプロジェクタ２０の環境情報を収集する（ステップＳ６４）。そして、収集部２２は、前回取得した環境情報と、今回取得した環境情報との間に差異があるか否かを判断する（ステップＳ６５）。ステップＳ６５において、差異があると判断された場合（ステップＳ６５：ＹＥＳ）、処理は、前述のステップＳ６３に移行し、ステップＳ６４で取得された環境情報（最新の環境情報）が避難情報配信サーバ１０に送信される。一方、ステップＳ６５において、差異が無いと判断された場合（ステップＳ６５：ＮＯ）、前述のステップＳ６４以降の処理が繰り返される。
【００７０】
いま、例えば図２０（ａ）に示すように、避難情報配信サーバ１０が、１３時００分時点のプロジェクタ２０の環境情報を受信した場合を想定する。この例では、１３時００分時点のプロジェクタ２０の環境情報が示す設置場所は「１Ｆ  ロビー前」であり、環境情報が示す周辺人数は「１０人」であるので、生成部１３は、対応情報に含まれる避難経路の中から、「１Ｆ  ロビー前」を示すプロジェクタの設置場所に対応し、かつ、対応する許容人数が「１０人」に収まるように避難経路を選択する。この例では、生成部１３は、西側出口と南側出口の何れも選択することができる。そして、生成部１３は、避難経路を示す情報として、西側出口および南側出口のうちの一方の出口（この例では南側出口）から避難することを示す情報を生成することができる。
【００７１】
その後、例えば図２０（ｂ）に示すように、避難情報配信サーバ１０が、１３時３０分時点のプロジェクタ２０の環境情報を受信した場合を想定する。この例では、１３時３０分時点のプロジェクタ２０の環境情報が示す設置場所は「１Ｆ  ロビー前」のままであるが、環境情報が示す周辺人数は１３時００分時点の「１０人」から「３０人」に変化しているので、生成部１３は、対応情報に含まれる避難経路の中から、「１Ｆ  ロビー前」を示すプロジェクタの設置場所に対応し、かつ、対応する許容人数が「３０人」に収まるように避難経路を選択する。この例では、生成部１３は、西側出口と南側出口の双方を選択する。そして、生成部１３は、避難経路を示す情報として、西側出口および南側出口の双方から避難することを示す情報を生成する。以上のように、本実施形態によれば、最新の環境情報に応じた避難情報を呈示することができる。
【００７２】
（第４実施形態）
次に、第４実施形態について説明する。第４実施形態では、収集部は、ユーザからの入力に応じて、環境情報を決定する点で上述の各実施形態と相違する。以下、第１実施形態と相違する部分を中心に説明し、上述の各実施形態と共通する部分については、適宜に説明を省略する。
【００７３】
図２１は、第４実施形態に係るプロジェクタ２００の機能構成例を示すブロック図である。図２１に示すように、プロジェクタ２００は、通信部２１と、収集部２２０と、投影部２３と、受付部２２５とを有する。通信部２１および投影部２３の機能は、上述の各実施形態と同様であるので、詳細な説明は省略する。
【００７４】
受付部２２５は、ユーザからの環境情報の入力を受け付ける機能を有する。収集部２２０は、環境情報の入力を促す入力画像を表示（投影）する制御を行い、受付部２２５で受け付けた入力に応じて、環境情報を決定する。
【００７５】
図２２は、本実施形態のシステムの動作手順の一例を示すシーケンス図である。図２２に示すステップＳ１２０〜ステップＳ１２４の内容は、図１１に示すステップＳ１０〜ステップＳ１４の内容と同様なので、詳細な説明は省略する。ステップＳ１２４の一斉情報の通知を受けた収集部２２０は、環境情報の入力項目が表示されるとともにその入力を促す入力画像を投影するように投影部２３を制御する（ステップＳ１２５）。そして、ユーザは、入力画像を見ながら、環境情報を入力する操作を行う（ステップＳ１２６）。受付部２２５は、受け付けた入力を示す入力情報を収集部２２０に通知する（ステップＳ１２７）。そして、収集部２２０は、受付部２２５から通知された入力情報に応じて環境情報を決定する（ステップＳ１２８）。ステップＳ１２９以降の内容は、図１１に示すステップＳ１６以降の内容と同様であるので、詳細な説明は省略する。
【００７６】
図２３は、プロジェクタ２００のハードウェア構成例を示す図である。図２３に示すように、プロジェクタ２００は、カメラ２１０や温度センサ２１３を有しておらず、代わりに、赤外線モジュール２１５を有している。この例では、ユーザは、赤外線リモコンを操作して環境情報の入力を行い、赤外線モジュール２１５は、赤外線リモコンの操作に応じた入力を受け付ける。この例では、赤外線モジュール２１５は、受付部２２５に対応しているが、これに限られるものではなく、受付部２２５は、環境情報の入力を受け付ける機能を有するものであればよい。
【００７７】
以上のように、実施形態では、ユーザからの入力に応じて環境情報を決定するので、例えばプロジェクタ２００の周辺の映像をカメラで取得することが困難な場所にプロジェクタ２００が配置されているような場合であっても、環境情報を収集（取得）することができる。
【００７８】
（第５実施形態）
次に、第５実施形態について説明する。第５実施形態では、環境情報としてプロジェクタ２０に要求される情報が、発生した災害に応じて変化する点で上述の各実施形態と相違する。以下、第１実施形態と相違する部分を中心に説明し、上述の各実施形態と共通する部分については、適宜に説明を省略する。
【００７９】
図２４は、第５実施形態に係る避難情報配信サーバ１１０の機能構成例を示すブロック図である。図２４に示すように、避難情報配信サーバ１１０は、通信部１１と、判断部１２と、生成部１３と、指定部１１１と、要求部１１２とを有する。通信部１１、判断部１２、および、生成部１３の機能は、上述の各実施形態と同様であるので、詳細な説明は省略する。
【００８０】
指定部１１１は、発生した災害に応じて、環境情報として必要な情報を指定する機能を有する。本実施形態では、指定部１１１は、外部装置からの災害情報を通信部１１で受信した場合に、災害の種別ごとに、環境情報として必要な情報が対応付けられた第２対応情報を参照して、災害情報が示す災害の種別に対応する１以上の情報を指定する。図２５は、第２対応情報の一例を示す図である。
【００８１】
要求部１１２は、指定部１１１により指定された情報をプロジェクタ２０に対して要求する。例えば要求部１１２は、通信部１１を介して、指定部１１１により指定された情報を要求するリクエスト信号をプロジェクタ２０に送信する制御を行うこともできる。この場合、通信部１１は、一斉情報とともにリクエスト信号をプロジェクタ２０に送信してもよいし、リクエスト信号を一斉情報に含めてプロジェクタ２０に送信してもよい。
【００８２】
このように災害の種別に応じた環境情報を利用することで、より最適な経路を選択することができる。
【００８３】
以上、本発明の実施形態を説明したが、上述の各実施形態は、例として提示したものであり、発明の範囲を限定することは意図していない。本発明は、上述の各実施形態そのままに限定されるものではなく、実施段階ではその要旨を逸脱しない範囲で構成要素を変形して具体化できる。また、上述の各実施形態に開示されている複数の構成要素の適宜な組み合わせにより、種々の発明を形成できる。例えば、各実施形態に示される全構成要素から幾つかの構成要素を削除してもよい。また、各実施形態および変形例は任意に組み合わせることが可能である。
【００８４】
上述の各実施形態では、本発明が適用される出力装置として、プロジェクタを例に挙げて説明したが、これに限らず、例えば本発明が適用される出力装置として、複合機（ＭＦＰ：Ｍｕｌｔｉｆｕｎｃｔｉｏｎ  Ｐｅｒｉｐｈｅｒａｌ）が採用されてもよい。なお、複合機とは、印刷機能、複写機能、スキャナ機能、及びファクシミリ機能のうち少なくとも２つの機能を有する装置である。
【００８５】
図２６は、本発明が適用される出力装置として、複合機を採用した場合におけるシステム１０００の構成例を示す図である。図２６に示すように、システム１０００は、避難情報配信サーバ１０と、ＭＦＰ４０とを備える。避難情報配信サーバ１０とＭＦＰ４０は、ネットワーク３０を介して相互に接続される。避難情報配信サーバ１０の構成は上述の第１実施形態と同様である。ＭＦＰ４０は、通信部４１と、収集部４２と、印刷部４３とを有する。通信部４１の機能は、図１に示す通信部２１の機能と同様であり、収集部４２の機能は、図１に示す収集部２２の機能と同様である。印刷部４３は、避難情報配信サーバ１０から送信された避難情報を印刷して出力する機能を有する。
【００８６】
図２７は、上述のシステム１０００の動作手順の一例を示すシーケンス図である。図２７に示すステップＳ１３０〜ステップＳ１４２の内容は、図１１に示すステップＳ１０〜ステップＳ２２の内容と同様であるので、詳細な説明は省略する。ステップＳ１４２の避難情報の通知を受けた印刷部４３は、避難情報配信サーバ１０から送信された避難情報を印刷して出力する（ステップＳ１４３）。
【００８７】
次に、ＭＦＰ４０のハードウェア構成を説明する。図２８は、ＭＦＰ４０のハードウェア構成例を示す図である。図２８に示すように、ＭＦＰ４０は、コントローラ５０とエンジン６０と操作部７０とを有する。コントローラ５０は、ＭＦＰ４０全体の制御と描画、通信、操作部７０からの入力を制御するコントローラである。エンジン６０は、例えば白黒プロッタ６１、スキャナユニット６２などを含む。
【００８８】
コントローラ５０は、ＭＦＰ４０の全体制御を行うＣＰＵ５１と、ＲＡＭ５２と、ＨＤＤ５３と、シリアルバス５４と、ＮＩＣ５５と、ＵＳＢデバイス５６と、その他Ｈ／Ｗ５７と、ＡＳＩＣ５８とを有する。ＣＰＵ５１には、ＵＳＢホスト５９を介してカメラ８０が接続される。カメラ８０により撮影された画像を用いて、ＣＰＵ５１による画像切り出しと人物検出が行われ、これにより、ＭＦＰ４０の周辺に存在する人の数が収集される。また、図２８の例では、ＭＦＰ４０の周辺の温度を計測する温度センサ９０が、ＣＰＵ５１に接続される。
【００８９】
ＡＳＩＣ５８は、画像処理用のハードウェア要素を有する画像処理用途向けのＩＣ（Ｉｎｔｅｇｒａｔｅｄ  Ｃｉｒｃｕｉｔ）であり、ＣＰＵ５１、ＲＡＭ５２、ＨＤＤ５３、シリアルバス５４、ＮＩＣ５５、ＵＳＢデバイス５６、その他Ｈ／Ｗ５７をそれぞれ接続するブリッジの役割を有する。
【００９０】
（プログラム）
上述した各実施形態のシステムで実行されるプログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）等のコンピュータで読み取り可能な記録媒体に記録して提供するように構成してもよいし、インターネット等のネットワーク経由で提供または配布するように構成してもよい。また、各種プログラムを、ＲＯＭ等に予め組み込んで提供するように構成してもよい。
【符号の説明】
【００９１】
１    システム
１０  避難情報配信サーバ
１１  通信部
１２  判断部
１３  生成部
２０  プロジェクタ
２１  通信部
２２  収集部
２３  投影部
３０  ネットワーク
４０  ＭＦＰ
４１  通信部
４２  収集部
４３  印刷部
【先行技術文献】
【特許文献】
【００９２】
【特許文献１】特開２００４−３２９３９０号公報
【図１】
2015014889.tif 000003
【図２】
2015014889.tif 000004
【図３】
2015014889.tif 000005
【図４】
2015014889.tif 000006
【図５】
2015014889.tif 000007
【図６】
2015014889.tif 000008
【図７】
2015014889.tif 000009
【図８】
2015014889.tif 000010
【図９】
2015014889.tif 000011
【図１０】
2015014889.tif 000012
【図１１】
2015014889.tif 000013
【図１２】
2015014889.tif 000014
【図１３】
2015014889.tif 000015
【図１４】
2015014889.tif 000016
【図１５】
2015014889.tif 000017
【図１６】
2015014889.tif 000018
【図１７】
2015014889.tif 000019
【図１８】
2015014889.tif 000020
【図１９】
2015014889.tif 000021
【図２０】
2015014889.tif 000022
【図２１】
2015014889.tif 000023
【図２２】
2015014889.tif 000024
【図２３】
2015014889.tif 000025
【図２４】
2015014889.tif 000026
【図２５】
2015014889.tif 000027
【図２６】
2015014889.tif 000028
【図２７】
2015014889.tif 000029
【図２８】
2015014889.tif 000030